(57)【特許請求の範囲】
【請求項１】
電源側には２本のプラグ刃と負荷側には２個の刃受金具を備え，その間を接点装置を介して導体で接続し，導体は変流器を貫通し，変流器の出力は増幅されてコイルを駆動し，コイルは前記接点装置を引き外すように作用するとともに，
負荷側にはアース極の刃受金具と，該アース極の刃受金具と電気的に接続されたアース端子とを備えたアース極付き漏電保護プラグ本体であって，
該アース極付き漏電保護プラグ本体には，
前記２本のプラグ刃と並設されて３Ｐコンセントのアース極に接続されるアース極のプラグ刃と該アース極のプラグ刃と接続されて引き出され先端に前記アース端子との取付け部を有する導体とこれらアース極のプラグ刃及び導体とが取付けられる台がねじにより着脱自在に取付けられる一方，
一端に前記アース端子との取付け部を有するとともに他端にコンセントに設けられるアースターミナルとの取付け部を有するアース線がねじにより着脱自在に取付け可能に設けられ，
前記アース極のプラグ刃と前記アース線は択一的に前記アース端子と電気的に接続されるか，前記台及びアース線ともに取付なしとすることを特徴とするアース極付き漏電保護プラグ。
【請求項２】
電源側には２本のプラグ刃と負荷側には２個の刃受金具を備え，その間を接点装置を介して導体で接続し，導体は変流器を貫通し，変流器の出力は増幅されてコイルを駆動し，コイルは前記接点装置を引き外すように作用するとともに，電源側には根元を軸支されて折りたたみ可能としたアース極プラグ刃と，アース線と，負荷側にはアース極の刃受金具と，該アース極の刃受金具と電気的に接続されたアース端子とを備え，前記アース極プラグ刃はアース極の刃受金具と電気的に接続されて，前記アース線はアース極の刃受金具と電気的に接続されたアース端子に対しねじにより着脱可能としたことを特徴とするアース極付き漏電保護プラグ。
【請求項３】
電源側には２本のプラグ刃と負荷側には２個の刃受金具を備え，その間を接点装置を介して導体で接続し，導体は変流器を貫通し，変流器の出力は増幅されてコイルを駆動し，コイルは前記接点装置を引き外すように作用するとともに，電源側にはスライドロック式で突出収納自在としたアース極プラグ刃と，アース線と，負荷側にはアース極の刃受金具と，該アース極の刃受金具と電気的に接続されたアース端子とを備え，前記アース極プラグ刃はアース極の刃受金具と電気的に接続されて，前記アース線はアース極の刃受金具と電気的に接続されたアース端子に対しねじにより着脱可能としたことを特徴とするアース極付き漏電保護プラグ。
【発明の詳細な説明】
【０００１】
【産業上の利用分野】
本件の発明は漏電保護プラグと称し，コンセントと負荷機器プラグの中間に設置される差込接続型の漏電遮断器に関する。
【０００２】
【従来の方法】
従来，前述の漏電保護プラグには図５のようなものが知られている。すなわち，電源側には２本のプラグ刃と負荷側には２個の刃受金具を備え，その間を接点装置を介して導体で接続し，導体は変流器を貫通し，変流器の出力は増幅されてコイルを駆動し，コイルは接点装置を引き外すように作用するもので，該装置から負荷側で発生した漏電を検知して負荷への電源供給を遮断するもので，漏電保護装置のない電路に接続されたコンセントから電源を供給される電動工具や機器の漏電や感電による事故防止をする上で有用であった。
【０００３】
しかしながら近年は，安全性を高めるためコンセントや負荷機器には，ターミナルや電線やプラグ刃や刃受けなどによるアース極を設けたものが増加しているが，そのようなコンセントや負荷機器に対しては前述の従来の漏電保護プラグでは，アース極の接続手段がないために対応できなかった。すなわち，コンセントがアース極の刃受金具付きの場合では，漏電保護プラグにアース極のプラグ刃がないので負荷側のアース線をコンセントのアース極に接続することができず，また負荷機器側がアース極のプラグ刃付き３Ｐプラグの場合，負荷側のアース極のプラグ刃が邪魔になって，漏電保護プラグの刃受金具に負荷機器のプラグを差し込むことができなかった。
【０００４】
この場合，漏電保護プラグのプラグ刃と刃受金具をアース極付の３Ｐにする方法が考えられるが，その場合使用するコンセントが３Ｐのものに限られるという不具合が生じる。現状では，コンセントも負荷機器のプラグも２Ｐや３Ｐ，またアースターミナルやアース線付きのものなど様々な種類のものがあり，どのようなコンセントやプラグでも種類を選ばずに使用できる漏電保護プラグは従来なかった。
【０００５】
なお，プラグのアダプターとして，プラグを３Ｐから２Ｐへ，またアース線付きの２Ｐプラグを３Ｐプラグに変換するようなものは従来からあったが，漏電遮断機能付きのものはなく，また漏電遮断器の特性として，機器アースがとってあるほうが，保護機能が確実化するという特徴がある。
【０００６】
【課題】
そこで本件の発明は，プラグやコンセントがどのような種類でも使用できる漏電保護プラグを提供することを課題としている。
【０００７】
【課題を解決するための手段】
請求項１は，電源側には２本のプラグ刃と負荷側には２個の刃受金具を備え，その間を接点装置を介して導体で接続し，導体は変流器を貫通し，変流器の出力は増幅されてコイルを駆動し，コイルは前記接点装置を引き外すように作用するとともに，負荷側にはアース極の刃受金具と，該アース極の刃受金具と電気的に接続されたアース端子とを備えたアース極付き漏電保護プラグ本体であって，
該アース極付き漏電保護プラグ本体には，
前記２本のプラグ刃と並設されて３Ｐコンセントのアース極に接続されるアース極のプラグ刃と該アース極のプラグ刃と接続されて引き出され先端に前記アース端子との取付け部を有する導体とこれらアース極のプラグ刃及び導体とが取付けられる台がねじにより着脱自在に取付けられる一方，
一端に前記アース端子との取付け部を有するとともに他端にコンセントに設けられるアースターミナルとの取付け部を有するアース線がねじにより着脱自在に取付け可能に設けられ，前記アース極のプラグ刃と前記アース線は択一的に前記アース端子と電気的に接続されるか，前記台及びアース線ともに取付なしとする手段を有することを特徴とするアース極付き漏電保護プラグを提供したものである。
【０００８】
それにより，アース極プラグ刃を着脱可能とし，アース線と択一的に負荷側のアース極の刃受金具と接続されるか，取付なしとする手段を設けたことにより，差し込み可能なコンセントは，２Ｐ，３Ｐ，２Ｐでアースターミナル付きの種類を選ばず使用可能となる。また，負荷側はアース極の刃受金具を設け，電気的に接続されたアース端子を設けたことで，負荷側のプラグは，２Ｐ，３Ｐ，２Ｐでアース線付きのいずれであっても使用可能となり，コンセントやプラグの種類を選ばず使用可能となる。
【０００９】
請求項２は，電源側には２本のプラグ刃と負荷側には２個の刃受金具を備え，その間を接点装置を介して導体で接続し，導体は変流器を貫通し，変流器の出力は増幅されてコイルを駆動し，コイルは前記接点装置を引き外すように作用するとともに，電源側には根元を軸支されて折りたたみ可能としたアース極プラグ刃と，アース線と，負荷側にはアース極の刃受金具と，該アース極の刃受金具と電気的に接続されたアース端子とを備え，前記アース極プラグ刃はアース極の刃受金具と電気的に接続されて，前記アース線はアース極の刃受金具と電気的に接続されたアース端子に対しねじにより着脱可能としたことを特徴とするアース極付き漏電保護プラグを提供したものである。
【００１０】
さらに，請求項３は，電源側には２本のプラグ刃と負荷側には２個の刃受金具を備え，その間を接点装置を介して導体で接続し，導体は変流器を貫通し，変流器の出力は増幅されてコイルを駆動し，コイルは前記接点装置を引き外すように作用するとともに，電源側にはスライドロック式で突出収納自在としたアース極プラグ刃と，アース線と，負荷側にはアース極の刃受金具と，該アース極の刃受金具と電気的に接続されたアース端子とを備え，前記アース極プラグ刃はアース極の刃受金具と電気的に接続されて，前記アース線はアース極の刃受金具と電気的に接続されたアース端子に対しねじにより着脱可能としたことを特徴とするアース極付き漏電保護プラグを提供したものである。
【００１１】
それにより，コンセントが２Ｐタイプの場合はアース極のプラグ刃を収納して突出しないようにして使用可能とできる。３Ｐタイプの場合はアース極のプラグ刃を突出させて使用可能とできる。
【００１２】
【実施例の説明】
図１は，本件発明請求項１ないし３の実施例の構成図である。図において，１と２は電源側のプラグ刃，３と４は負荷側の刃受金具であり，該プラグ刃１，２と刃受金具３，４は接点装置５，６を介して導体７，８で接続されている。９は導体７，８を１次導体とする零相変流器であり，１０は該零相変流器の出力を増幅するとともに，零相変流器の出力が漏電によるものかノイズによるものか判別する機能を有する検知器である。１１は検知器１０の出力により接点装置５，６を引き外すコイルである。１２は電源側のアース極のプラグ刃で詳細は後述する。１３は負荷側の刃受金具で，１４は該刃受金具１３と電気的に接続されたアースターミナルである。１５はアース線で刃受金具１３に対してねじなどで着脱自在に取り付けられる。
【００１３】
図２は，請求項１に示す電源側のプラグ刃の一実施例である。図において１，２は電源側のプラグ刃で，１２０１は電源側のアース極のプラグ刃で，台１２０２に取付られており，１２０１と電気的に接続された導体１２０３が引き出されていて，ねじ１２０５でねじ穴１２０４に着脱自在に取り付けられる。１４は負荷側の刃受金具と電気的に接続されたターミナルで，導体１２０３かアース線１５が選択的にねじで取り付けられる。
【００１４】
図３は請求項２に示す電源側のプラグ刃の一実施例である。図において１，２，１４は図２と同一のものである。１２１０は軸１２１１でケースに軸支されて，折りたたみ可能とした電源側のアース極プラグで，不用時は１２１０’のように折りたたんでケース内に収納できる。１２１０のアース極プラグ刃はケース内部で常時負荷側のアース極の刃受金具に電気的に接続されている。
【００１５】
図４は請求項３に示す電源側のプラグ刃の一実施例である。図において１，２，１４は図２と同一のものである。１２１２は不用時にケースに対してスライドロック機構で１２１２’のように収納可能とした電源側のアース極プラグで，該１２１２のアース極プラグ刃はケース内部で常時負荷側のアース極の刃受金具に電気的に接続されている。
【００１６】
図６はコンセントの種類の例である。図において，（ａ）は通常の２Ｐコンセント，（ｂ）はアースターミナル付き２Ｐコンセントで，１６がねじ式のターミナルであり，アース線を接続する。（ｃ）は３Ｐコンセントで１８はアース極の刃受穴である。図７はプラグの例であり，（ｄ）は通常の２Ｐプラグ，（ｅ）はアース線１５がついた２Ｐプラグで，（ｆ）はアース極のついた３Ｐプラグである。
【００１７】
図８から図１１は，本件の漏電保護プラグの使用例を示した図である。図８は電源側のコンセントが図６の（ａ）のもので，プラグが図７の（ｄ）のものである。この場合は漏電保護プラグの電源側のアース極プラグ刃１２は請求項１の場合は取り外し，請求項２の場合は折りたたみ，請求項３の場合はケース内に押し込んで使用する。なおアース線１５は点線のように取り付けられたままとしてあってもよい。
【００１８】
図９は電源側のコンセントが図６の（ｂ）のもので，プラグが図７に示す（ｆ）の場合の例である。この場合はアース極プラグの刃１２は先の図８の例のようにして，代わりにアース線１５を取り付けてアース線１５をコンセントのアースターミナル１６に接続して使用する。
【００１９】
図１０は電源側のコンセントが図６の（ｃ）のもので，負荷側のプラグが図７の（ｅ）に示すものの場合の例である。この場合は漏電保護プラグの電源側アース極プラグ刃１２は，請求項１の場合は取り付け，請求項２の場合は起こして，請求項３の場合は引き出して突出させて使用する。そして負荷側のプラグ（ｅ）のアース線１７を漏電保護プラグのアースターミナル１４に接続して使用する。
【００２０】
図１１は電源側のコンセントが図６の（ｃ）のもので，負荷側のプラグが図７の（ｆ）に示すものの場合で，この場合は，図１０の場合の漏電保護プラグの状態と同一で使用可能である。
【００２１】
以上のように，本件発明によるアース極付き漏電保護プラグでは，コンセントとプラグがどのような組合せの場合でも，プラグ刃１２とアース線１５を適宜使い分けることで，使用可能となる。
【００２２】
【発明の効果】
本件の発明によれば，プラグやコンセントがどのような種類でも使用できる漏電保護プラグを提供することができて，感電や漏電保護効果の高いアース極付き漏電保護プラグを提供することができるという効果がある。
【図面の簡単な説明】
【図１】本件発明の構成図
【図２】本件発明による請求項１のプラグ刃の図
【図３】本件発明による請求項２のプラグ刃の図
【図４】本件発明による請求項３のプラグ刃の図
【図５】従来例の図
【図６】コンセントの種類の図
【図７】プラグの種類の図
【図８】本件発明の使用例１の図
【図９】本件発明の使用例２の図
【図１０】本件発明の使用例３の図
【図１１】本件発明の使用例４の図
【符号の説明】
１，２            ・・電源側プラグ刃
３，４            ・・負荷側刃受金具
５，６            ・・接点装置
７，８            ・・接続導体
９                ・・零相変流器
１０              ・・検知器
１１              ・・電磁装置
１２              ・・アース極プラグ刃
１３              ・・アース極刃受金具
１４              ・・アースターミナル
１５              ・・アース線
【図１】
0004510233.tif 000002
【図２】
0004510233.tif 000003
【図３】
0004510233.tif 000004
【図４】
0004510233.tif 000005
【図５】
0004510233.tif 000006
【図６】
0004510233.tif 000007
【図７】
0004510233.tif 000008
【図８】
0004510233.tif 000009
【図９】
0004510233.tif 000010
【図１０】
0004510233.tif 000011
【図１１】
0004510233.tif 000012